(57)【要約】【課題】ダイアフラムポンプのメンテナンス性を向上させることができる支持台およびダイアフラムポンプユニットを提供する。【解決手段】レバー７を操作することにより回転規制状態と回転可能状態とが切り換え可能に構成されていることで、ダイアフラムポンプ１００の使用時には回転規制状態とし、メンテナンス時には一旦回転許容状態としてダイアフラムポンプ１００の向きを適宜に変更した後、再び回転規制状態とすることができる。これにより、使用時とメンテナンス時とでダイアフラムポンプ１００の向きを容易に変更するとともに向きを維持することができ、ダイアフラムポンプ１００のメンテナンス性を向上させることができる。【選択図】図４
2020133515.tif 000002
【特許請求の範囲】
【請求項１】
一対のポンプ室を有するダイアフラムポンプを支持する支持台であって、
前記ダイアフラムポンプの下方に配置されるベース部、及び、前記ベース部から立設されて前記ダイアフラムポンプを挟み込む一対の側部を有する支持本体部と、
前記ダイアフラムポンプが固定されるとともに前記一対の側部によって支持される回転部、及び、前記一対の側部の間隔を調節するための操作部を有する調節手段と、を備え、
前記回転部は、一方の前記側部を貫通する第１軸部と、他方の前記側部に連結される第２軸部と、を有し、
前記操作部は、前記第１軸部のうち、前記他方の側部とは反対側に位置する部分に設けられ、
前記回転部に対して引き寄せる力を加えるように前記操作部が操作された場合に、前記一対の側部が接近して前記ダイアフラムポンプの回転を規制する回転規制状態となり、前記引き寄せる力を弱めるように前記操作部が操作された場合に、前記一対の側部が離隔して前記ダイアフラムポンプの回転を許容する回転許容状態となることを特徴とする支持台。
【請求項２】
前記回転規制状態において、前記一対の側部が前記回転部を挟み込んで押圧することで前記ダイアフラムポンプの回転が規制されることを特徴とする請求項１に記載の支持台。
【請求項３】
前記一方の側部と前記回転部とのうち一方に凸部が設けられるとともに、他方に複数の凹部または孔部が設けられ、
前記回転規制状態において、前記凸部と、前記複数の凹部または孔部のうち１つと、が嵌合することにより前記ダイアフラムポンプの回転が規制されることを特徴とする請求項１又は２に記載の支持台。
【請求項４】
前記一対の側部の対向方向と、前記一対のポンプ室の対向方向と、が互いに交差することを特徴とする請求項１〜３のいずれか１項に記載の支持台。
【請求項５】
前記操作部は、前記第１軸部によって、前記一方の側部に沿った方向を軸方向として軸支されるレバーであって、
前記レバーは、回動軸に対して偏心した外周面を有することにより、回動操作された際に前記引き寄せる力を加えるように構成されていることを特徴とする請求項１〜４のいずれか１項に記載の支持台。
【請求項６】
請求項１〜５のいずれか１項に記載の支持台と、該支持台に支持されるダイアフラムポンプと、を備えることを特徴とするダイアフラムポンプユニット。
【発明の詳細な説明】
【技術分野】
【０００１】
本発明は、支持台およびダイアフラムポンプユニットに関する。
【背景技術】
【０００２】
従来、一対の作動流体室と、一対のポンプ室と、センターロッドと、を備え、一対の作動流体室に対して作動流体が交互に供給されるとともに、センターロッドが往復移動することにより、流動体を吐出するダイアフラムポンプが提案されている（例えば、特許文献１参照）。特許文献１に記載されたダイアフラムポンプでは、作動流体室が収縮することによってポンプ室が膨張して吸込口から流動体を吸い込み、作動流体室が膨張することによってポンプ室が収縮して流動体を吐出口に押し出すように構成されている。
【先行技術文献】
【特許文献】
【０００３】
【特許文献１】特開２０１４−２１４６２９号公報
【発明の概要】
【発明が解決しようとする課題】
【０００４】
特許文献１に記載されたように一対のポンプ室を備えたダイアフラムポンプでは、動作のアンバランスを抑制するために、一対のポンプ室が水平方向に並ぶように配置されて使用されることが好ましい。また、ダイアフラムポンプは、自身が発生する振動等によって移動しないように、使用時には支持台等に固定支持されることが好ましい。一方、ポンプ室に対して清掃等のメンテナンスを実施する際には、作業性の観点から、ポンプ室を上方に向けることが望まれていた。
【０００５】
しかしながら、一対のポンプ室が水平方向に並ぶように支持台によって支持されたダイアフラムポンプを、メンテナンスの際にポンプ室を上方に向けるように移動させることは困難であり、メンテナンス性が低いという不都合があった。
【０００６】
本発明の目的は、ダイアフラムポンプのメンテナンス性を向上させることができる支持台およびダイアフラムポンプユニットを提供することにある。
【課題を解決するための手段】
【０００７】
本発明の支持台は、一対のポンプ室を有するダイアフラムポンプを支持する支持台であって、前記ダイアフラムポンプの下方に配置されるベース部、及び、前記ベース部から立設されて前記ダイアフラムポンプを挟み込む一対の側部を有する支持本体部と、前記ダイアフラムポンプが固定されるとともに前記一対の側部によって支持される回転部、及び、前記一対の側部の間隔を調節するための操作部を有する調節手段と、を備え、前記回転部は、一方の前記側部を貫通する第１軸部と、他方の前記側部に連結される第２軸部と、を有し、前記操作部は、前記第１軸部のうち、前記他方の側部とは反対側に位置する部分に設けられ、前記回転部に対して引き寄せる力を加えるように前記操作部が操作された場合に、前記一対の側部が接近して前記ダイアフラムポンプの回転を規制する回転規制状態となり、前記引き寄せる力を弱めるように前記操作部が操作された場合に、前記一対の側部が離隔して前記ダイアフラムポンプの回転を許容する回転許容状態となることを特徴とする。
【０００８】
以上のような本発明によれば、操作部を操作することにより回転規制状態と回転可能状態とが切り換え可能に構成されていることで、ダイアフラムポンプの使用時には回転規制状態とし、メンテナンス時には一旦回転許容状態としてダイアフラムポンプを回転させて向きを適宜に変更した後、再び回転規制状態とすることができる。これにより、使用時とメンテナンス時とでダイアフラムポンプの向きを容易に変更するとともに向きを維持することができ、ダイアフラムポンプのメンテナンス性を向上させることができる。
【０００９】
この際、本発明の支持台では、前記回転規制状態において、前記一対の側部が前記回転部を挟み込んで押圧することで前記ダイアフラムポンプの回転が規制されることが好ましい。また、本発明の支持台では、前記一方の側部と前記回転部とのうち一方に凸部が設けられるとともに、他方に複数の凹部または孔部が設けられ、前記回転規制状態において、前記凸部と、前記複数の凹部または孔部のうち１つと、が嵌合することにより前記ダイアフラムポンプの回転が規制されてもよい。
【００１０】
押圧のみによって回転規制する構成では、ダイアフラムポンプの向きを無段階に設定することができ、メンテナンス性をさらに向上させることができる。一方、嵌合によって回転規制する構成では、使用時およびメンテナンス時においてダイアフラムポンプを安定して支持することができる。尚、押圧による回転規制と、嵌合による回転規制と、が組み合わされていてもよい。
【００１１】
さらに、本発明の支持台では、前記一対の側部の対向方向と、前記一対のポンプ室の対向方向と、が互いに交差することが好ましい。このような構成によれば、一対のポンプ室が水平方向に対向した状態と、一方のポンプ室が上方を向いた状態と、他方のポンプ室が上方を向いた状態と、を適宜に切り換えることができる。
【００１２】
また、本発明の支持台では、前記操作部は、前記第１軸部によって、前記一方の側部に沿った方向を軸方向として軸支されるレバーであって、前記レバーは、回動軸に対して偏心した外周面を有することにより、回動操作された際に前記引き寄せる力を加えるように構成されていることが好ましい。このような構成によれば、レバーの回動操作によって回転規制状態と回転許容状態とを容易に切り換えることができ、メンテナンス性をさらに向上させることができる。
【００１３】
一方、本発明のダイアフラムポンプユニットは、上記いずれかに記載の支持台と、該支持台に支持されるダイアフラムポンプと、を備えることを特徴とする。このような本発明によれば、上記のように使用時とメンテナンス時とでダイアフラムポンプの向きを容易に変更するとともに向きを維持することができ、ダイアフラムポンプのメンテナンス性を向上させることができる。
【発明の効果】
【００１４】
以上のような本発明の支持台およびダイアフラムポンプユニットによれば、操作部を操作することにより回転規制状態と回転可能状態とが切り換え可能に構成されていることで、ダイアフラムポンプのメンテナンス性を向上させることができる。
【図面の簡単な説明】
【００１５】
【図１】本発明の実施形態に係るダイアフラムポンプユニットを示す斜視図である。
【図２】前記ダイアフラムポンプユニットを示す正面図である。
【図３】前記ダイアフラムポンプユニットを示す側面図である。
【図４】前記ダイアフラムポンプユニットの支持台を示す断面図である。
【図５】前記支持台が回転許容状態となった場合の要部を示す断面図である。
【図６】前記支持台が回転規制状態となった場合の要部を示す断面図である。
【図７】前記支持台を示す斜視図である。
【図８】変形例の支持台の要部を示す正面図である。
【発明を実施するための形態】
【００１６】
以下、本発明の各実施形態を図面に基づいて説明する。本実施形態のダイアフラムポンプユニット１０は、図１〜３に示すように、ダイアフラムポンプ１００と、支持台１と、を備える。本実施形態では、水平面に沿うとともに互いに直交する２方向をＸ方向およびＹ方向とし、鉛直方向をＺ方向とする。
【００１７】
ダイアフラムポンプ１００は、一対の作動流体室と、一対のポンプ室１０１、１０２と、センターロッドと、を備え、一対の作動流体室に対して作動流体（例えば空気等の気体）が交互に供給されるとともに、センターロッドが往復移動することにより、吸込口１０３から流動体を吸い込み、この流動体を吐出口１０４から吐出するように構成されている。
【００１８】
ダイアフラムポンプ１００は、一対のポンプ室１０１、１０２の対向方向（センターロッドの延在方向）と直交する方向を軸方向として、支持台１によって回転可能に支持される。ダイアフラムポンプ１００が回転する際の軸方向がＸ方向に一致し、一対のポンプ室１０１、１０２の対向方向が常にＹＺ平面に沿っているものとする。
【００１９】
支持台１は、支持本体部２と、調節手段３と、を備え、ダイアフラムポンプ１００を支持する。
【００２０】
支持本体部２は、ダイアフラムポンプ１００のＺ方向下方に配置されるベース部４と、ベース部４から立設される一対の側部５Ａ、５Ｂと、によって構成されている。ベース部４は、ＸＹ平面に沿った長方形枠状に形成されている。側部５Ａ、５Ｂは、それぞれ、ＹＺ平面に沿った台形状の枠部５１と、枠部５１のうち上部を閉塞する側板部５２と、を有する。また、一対の側部５Ａ、５Ｂの対向方向はＸ方向に一致し、ダイアフラムポンプ１００が一対の側部５Ａ、５ＢによってＸ方向から挟み込まれる。以下では、一対の側部５Ａ、５Ｂにおいて互いを向いた側を「内側」とし、その反対側を「外側」と呼ぶ。
【００２１】
ベース部４と一対の側部５Ａ、５Ｂとは、例えば溶接によって接続されることにより、一体的に構成されている。これにより、自然状態の支持本体部２に対し、外力が作用して一対の側部５Ａ、５Ｂ同士が近づいた場合、支持本体部２は、自らの弾性によって一対の側部５Ａ、５Ｂ同士を遠ざけるような復元力が生じるようになっている。
【００２２】
一方の側部５Ａの側板部５２には、図４、５に示すように、後述する第１軸部６２が貫通する貫通孔５２１が形成されるとともに、貫通孔５２１の下方において内側に突出する凸部５２２が設けられている。凸部５２２は、側板部５２とは別体のピン部材によって構成され、このピン部材が側板部５２の孔に圧入されるようになっている。本実施形態では、貫通孔５２１と凸部５２２とがＺ方向に並んでいるものとするが、これらはＺ方向に並んで配置されていなくてもよい。
【００２３】
他方の側部５Ｂの側板部５２には、後述する第２軸部６３が貫通する貫通孔５２３が形成されている。本実施形態では、一対の側部５Ａ、５Ｂの形状を共通化するために、他方の側部５Ｂにおいても、凸部５２２を構成するピン部材を取り付け可能なように孔５２４が形成されている。尚、一対の側部５Ａ、５Ｂの形状は共通化されていなくてもよい。
【００２４】
調節手段３は、回転部６と、操作部としてのレバー７と、を有する。回転部６は、一対の側部５Ａ、５Ｂの間に配置される支持板６１と、支持板６１の一端（側部５Ａ側の端部）に接続される第１軸部６２と、支持板６１の他端（側部５Ｂ側の端部）に接続される第２軸部６３と、を有する。
【００２５】
支持板６１は、図７にも示すように、ＺＸ平面に沿った２枚の本体板６１１Ａ、６１１Ｂと、２枚の本体板６１１Ａ、６１１Ｂを両端において連結するとともにＹＺ平面に沿った端部板６１２、６１３と、を有する。本体板６１１Ａ、６１１Ｂは、中央部に切欠きを有し、この切欠きにダイアフラムポンプ１００が嵌まり込むようになっており、ダイアフラムポンプ１００が回転部６に固定される。
【００２６】
一対の端部板６１２、６１３は、それぞれ、側部５Ａ、５Ｂの側板部５２の内側に沿うように配置され、内側の面にナット６１４が固定されている。また、端部板６１２、６１３のうちナット６１４に対応した位置に貫通孔が形成されている。さらに、一方の側部５Ａの側板部５２に対向する端部板６１２には、ナット６１４を中心とした円周上に４つの孔部６１５Ａ〜６１５Ｄが形成されている。４つの孔部６１５Ａ〜６１５Ｄのうち１つと、側部５Ａの凸部５２２と、が嵌合するようになっている。孔部６１５Ａ〜６１５Ｄの内周面は、外側に向かうにしたがって内径が大きくなるようにテーパ部を有している。尚、部品の共通化を目的として、端部板６１３にも端部板６１２と同様の孔部が形成されていてもよい。
【００２７】
第１軸部６２は、雄ネジ部材によって構成され、一方の側部５Ａの貫通孔５２１に回転自在に挿通され、側部５Ａを貫通するように配置される。第１軸部６２は、側板部５２の内側において、ナット６１４と螺合することにより回転部６に接続される。第１軸部６２のうち側板部５２の外側に貫通した部分には、レバー７が設けられる。
【００２８】
第２軸部６３は、雄ネジ部材によって構成され、一方の側部５Ｂの貫通孔５２３に回転自在に挿通される。第２軸部６３は、ネジ頭部が側板部５２の外側に配置され、側板部５２の内側において、ナット６１４と螺合することにより回転部６に接続される。これにより、回転部６の他端が他方の側部５Ｂに連結される。
【００２９】
第１軸部６２および第２軸部６３は、いずれもＸ方向に沿って延び、Ｘ方向から見て重なる位置に配置されるとともに、側部５Ａ、５Ｂの貫通孔５２１、５２３に回転自在に挿通されて支持されている。これにより、回転部６は第１軸部６２および第２軸部６３を中心として回転可能となっており、回転部６に固定されたダイアフラムポンプ１００も回転可能となる。
【００３０】
レバー７は、その一端が、第１軸部６２のうち側板部５２の外側に貫通した部分によって軸支され、回動軸としての軸部７１を有する。軸部７１の延在方向は、Ｘ方向に直交した方向（即ちＹＺ平面に沿った方向）となっている。図４〜６においては、軸部７１の延在方向がＹ方向に一致している様子を示すが、第１軸部６２が回転することで軸部７１の延在方向が変化してもよい。以下では、軸部７１を中心としてレバー７を１８０°回動させる（図５、６に示すように反転させる）動作を「回動操作」と呼ぶ。
【００３１】
レバー７は、軸部７１の周囲に外周面７２を有する。外周面７２は、軸部７１に対して偏心している。即ち、外周面７２の各位置から軸部７１までの距離が一定ではない。外周面７２と側板部５２の外面との間には、緩衝部材８が配置されている。
【００３２】
レバー７を回動操作すると、外周面７２が緩衝部材８に対して摺動する。このとき、外周面７２のうち緩衝部材８に接触する（側板部５２に対向する）位置が変化することにより、第１軸部６２がＸ方向に沿って移動する。即ち、図５に示すように、外周面７２が、軸部７１との距離が最も近くなる最小径部７２１において緩衝部材８に接触している状態では、第１軸部６２が他方の側部５Ｂに対して最も接近した状態（側板部５２から外側への突出寸法が最小の状態）となり、図６に示すように、外周面７２が、軸部７１との距離が最も遠くなる最大径部７２２において緩衝部材８に接触している状態では、第１軸部６２が他方の側部５Ｂに対して最も離隔した状態（側板部５２から外側への突出寸法が最大の状態）となる。
【００３３】
以下、支持台１に支持されたダイアフラムポンプ１００を回転させる際の各部の動作について詳細に説明する。まず、ダイアフラムポンプ１００によって流動体を吸い込んで吐出する使用時には、一対のポンプ室１０１、１０２がＹ方向において対向している。このとき、図５に示すようにレバー７が締め付けられることにより、外周面７２が最大径部７２２において緩衝部材８に接触している。
【００３４】
このような状態において、支持本体部２は、自然状態よりも一対の側部５Ａ、５Ｂ同士が接近しており、自身の弾性によって一対の側部５Ａ、５Ｂ同士を遠ざけるような付勢力が生じている。また、一対の側部５Ａ、５Ｂが端部板６１２、６１３を挟み込んで押圧することで、回転部６が回転しないようになっている。即ち、ダイアフラムポンプ１００の回転が規制されて回転規制状態となっている。また、側部５Ａに設けられた凸部５２２が、回転部６の孔部６１５Ａと嵌合することによっても、回転部６の回転が規制され、ダイアフラムポンプ１００の回転が規制されている。
【００３５】
ダイアフラムポンプ１００の運転を停止し、ポンプ室１０１、１０２に清掃等のメンテナンスを実施する際には、メンテナンス対象のポンプ室１０１、１０２が上方を向くようにダイアフラムポンプ１００を回転させる。このとき、図６に示すようにまずはレバー７を回動操作して開くことにより、外周面７２が最小径部７２１において緩衝部材８に接触する状態とする。支持本体部２の弾性によって一対の側部５Ａ、５Ｂ同士が離隔しようとすることで、第１軸部６２が他方の側部５Ｂに向かって移動し、これに伴って回転部６も移動する。これにより、端部板６１２と側部５Ａの側板部５２とが離隔し、凸部５２２と孔部６１５Ａとの嵌合が解除される。
【００３６】
即ち、一対の側部５Ａ、５Ｂが端部板６１２、６１３を押圧することによる回転規制が解除されるとともに、凸部５２２と孔部６１５Ａとの嵌合による回転規制が解除されることにより、回転部６の回転が許容され、ダイアフラムポンプ１００の回転が許容された回転許容状態となる。
【００３７】
尚、レバー７の回動操作のみでは端部板６１２と側板部５２とが充分に離隔せず、凸部５２２と孔部６１５Ａとの嵌合が解除されない場合には、第１軸部６２を回転させるようにレバー７を操作してもよい。第１軸部６２がナット６１４と螺合していることから、ネジ送り作用によって第１軸部６２をナット６１４から抜ける方向に相対移動させることができる。これにより、端部板６１２を側部５Ａの側板部５２から遠ざけることができる。
【００３８】
支持台１を回転許容状態としたら、一対のポンプ室１０１、１０２のうち一方が上方を向くように、回転部６およびダイアフラムポンプ１００を９０°回転させる。これにより、凸部５２２と、孔部６１５Ｂまたは孔部６１５Ｄと、が対向する。レバー７を回動操作して外周面７２を最大径部７２２において緩衝部材８に接触させることにより、一対の側部５Ａ、５Ｂが端部板６１２、６１３を押圧するとともに、凸部５２２と、孔部６１５Ｂまたは孔部６１５Ｄと、が嵌合し、再び嵌合規制状態とする。このとき、孔部６１５Ｂ、６１５Ｄにテーパ部が形成されていることで、凸部５２２と孔部６１５Ｂ、６１５Ｄとに多少の位置ずれが生じていても、凸部５２２がテーパ部に案内されて位置ずれが修正されるようになっている。
【００３９】
一対のポンプ室１０１、１０２のうち一方のメンテナンスが終了したら、レバー７を回動操作して回転許容状態とし、ダイアフラムポンプ１００を１８０°回転させ、一対のポンプ室１０１、１０２のうち他方を上方に向けてから回転規制状態とし、メンテナンスを実施する。このメンテナンスが終了したら、レバー７を回動操作して回転許容状態とし、ダイアフラムポンプ１００を９０°回転させ、一対のポンプ室１０１、１０２をＹ方向に対向させてから回転規制状態とすることにより、ダイアフラムポンプ１００が使用可能な状態となる。
【００４０】
以上のように、レバー７を回動操作することにより、一対の側部５Ａ、５Ｂの間隔が調節され、回転許容状態と回転規制状態とが切り換えられるようになっている。即ち、回転部６に引き寄せる力を加えるようにレバー７が操作された場合に、一対の側部５Ａ、５Ｂが接近して回転規制状態となり、回転部６を引き寄せる力を弱める（０にする場合も含む）ようにレバー７が操作された場合に、一対の側部５Ａ、５Ｂが離隔して回転許容状態となる。
【００４１】
このような本実施形態によれば、以下のような効果がある。即ち、レバー７を操作することにより回転規制状態と回転可能状態とが切り換え可能に構成されていることで、ダイアフラムポンプ１００の使用時には回転規制状態とし、メンテナンス時には一旦回転許容状態としてダイアフラムポンプ１００の向きを適宜に変更した後、再び回転規制状態とすることができる。これにより、使用時とメンテナンス時とでダイアフラムポンプ１００の向きを容易に変更するとともに向きを維持することができ、ダイアフラムポンプ１００のメンテナンス性を向上させることができる。
【００４２】
また、回転規制状態において凸部５２２と孔部６１５Ａ〜６１５Ｄとが嵌合し、ダイアフラムポンプ１００の回転を規制することにより、使用時およびメンテナンス時においてダイアフラムポンプ１００を安定して支持することができる。
【００４３】
また、一対の側部５Ａ、５Ｂの対向方向と、一対のポンプ室１０１、１０２の対向方向と、が互いに直交していることで、一対のポンプ室１０１、１０２が水平方向に対向した状態と、一方のポンプ室１０１が上方を向いた状態と、他方のポンプ室１０２が上方を向いた状態と、を適宜に切り換えることができる。
【００４４】
また、操作部としてのレバー７の回動操作によって回転規制状態と回転許容状態とが切り換えられることで、メンテナンス性をさらに向上させることができる。
【００４５】
以上、実施形態を挙げて本発明を説明したが、本発明は、前記実施形態に限定されるものではなく、本発明の目的が達成できる他の構成等を含み、以下に示すような変形等も本発明に含まれる。
【００４６】
例えば、前記実施形態では、一対の側部５Ａ、５Ｂが回転部６を挟み込んで押圧することによる回転規制と、凸部５２２と孔部６１５Ａ〜６１５Ｄとが嵌合することによる回転規制と、が組み合わされているものとしたが、これらのうち一方のみによって回転規制してもよい。
【００４７】
図８に示す変形例の支持台では、一方の側部５Ａの側板部５２に重ねられる端部板６１３に、孔部６１５Ａと、３つの円弧状の長孔部６１５Ｅ〜６１５Ｇと、が形成されている。孔部６１５Ａと長孔部６１５Ｅ〜６１５Ｇとは、ナット６１４を中心とする円周上に配置されている。このような変形例においては、回転規制状態において、長孔部６１５Ｅ〜６１５Ｇ内の任意の位置に凸部５２２が配置されるとともに、押圧のみによって回転規制される。これにより、ダイアフラムポンプの向きを無段階に設定することができ、メンテナンス性をさらに向上させることができる。また、押圧のみによって回転規制する構成においては、凸部および孔部を省略してもよい。
【００４８】
また、凸部と孔部とを嵌合させて回転規制する構成に代えて、凸部と凹部とを嵌合させて回転規制する構成としてもよい。また、回転部に凸部を設けるとともに、側部に凹部または孔部を設ける構成としてもよい。
【００４９】
また、前記実施形態では、一対の側部５Ａ、５Ｂの対向方向と、一対のポンプ室１０１、１０２との対向方向と、が直交しているものとしたが、これらの対向方向の関係は、直交しているものに限定されず、ダイアフラムポンプ１００におけるメンテナンス対象部やメンテナンス方法等に応じて適宜に設定されればよい。
【００５０】
また、前記実施形態では、操作部としてのレバー７を回動操作することにより回転規制状態と回転許容状態とが切り換えられるものとしたが、操作部はレバーに限定されない。例えば、Ｘ方向を軸方向として第１軸部６２を回転させるハンドル等の操作部を用いてもよい。このような構成では、ナット６１４と螺合した第１軸部６２がネジ送り機構によって移動することで、一対の側部５Ａ、５Ｂの間隔が調節され、回転規制状態と回転許容状態とが切り換え可能となる。
【００５１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５２】
１          支持台
２          支持本体部
３          調節手段
４          ベース部
５Ａ、５Ｂ  側部
５２２      凸部
６          回転部
６１５Ａ〜６１５Ｄ  孔部
６２        第１軸部
６３        第２軸部
７          レバー（操作部）
７１        軸部
７２        外周面
１０        ダイアフラムポンプユニット
１００      ダイアフラムポンプ
１０１、１０２     ポンプ室
【図１】
2020133515.tif 000003
【図２】
2020133515.tif 000004
【図３】
2020133515.tif 000005
【図４】
2020133515.tif 000006
【図５】
2020133515.tif 000007
【図６】
2020133515.tif 000008
【図７】
2020133515.tif 000009
【図８】
2020133515.tif 000010